(57)【特許請求の範囲】
【請求項１】
流体の製品を貯蔵および分配するための容器（１０、３０）であって、前記製品が保持される容積を画定する本体（１２）を有し、かつ、前記製品が前記容器（１０）から出るための分配エンドピース（１４、３４）を有し、
また、流体製品と接触しており、少なくとも１つの殺菌材料を備える、前記本体（１２）の内部容積に配置された少なくとも１つのインサート（１６、１８、３６）を有し、
前記少なくとも１つのインサート（１６、１８、３６）は、完全に前記殺菌材料で作られており、
前記少なくとも１つのインサート（１６、１８、３６）は、前記本体（１２）の中心主平面において延在するシートを形成する平面的なグリッドから成り、
前記グリッドの一端部は、前記グリッドの一端部で前記本体（１２）の一端部を潰して恒久的に変形させることによって前記本体（１２）に固定されていることを特徴とする容器。
【請求項２】
前記少なくとも１つのインサートが、前記本体（１２）の内部容積内を自由に移動する少なくとも１つのビードからなることを特徴とする請求項１に記載の容器。
【請求項３】
前記少なくとも１つのインサート（１６、１８、３６）が、前記流体によって通過可能な多孔性または穿孔された要素からなることを特徴とする請求項１に記載の容器。
【請求項４】
前記少なくとも１つのインサート（１８）が、前記分配エンドピース（１４）と前記本体（１２）の内部容積との間に配置されることを特徴とする請求項３に記載の容器。
【請求項５】
前記少なくとも１つのインサート（３６）が、前記本体（１２）の内壁の少なくとも一部を覆うことを特徴とする請求項３に記載の容器。
【請求項６】
前記少なくとも１つのインサート（１６、１８、３６）が、銅および銀から選択される材料で作られていることを特徴とする請求項１〜５のいずれか一項に記載の容器。
【発明の詳細な説明】
【技術分野】
【０００１】
本発明は、流体製品中の細菌の潜在的な増殖を制限するように設計された、例えば化粧品などの流体製品を貯蔵および分配するための容器に関する。
【０００２】
より具体的には、本発明は、化学添加物を置換するための手段を有する容器を提案する。
【背景技術】
【０００３】
従来技術
例えば化粧品のような多数の流体製品は、製品の酸化を回避し、例えば細菌による製品の汚染を回避するために、密閉容器に収容される。
【０００４】
このような容器は、特に、可撓性または剛性の本体を有し、その壁は空気および任意の他の種類の汚染物質に対して気密封止され、製品を分配するためのエンドピースを有する。
【０００５】
製品の酸化を避けるために、容器は、製品が出ることだけを可能にするように設計された分配エンドピースを備え、これは「エアレス」型エンドピースと呼ばれる。このようなエンドピースは、製品が出る方向に開き、所望の量の製品が出るとすぐに自動的に閉じるように設計されている。
【０００６】
次いで、容器は、製品が引き出される際に変形可能で圧縮可能であるように設計される。実際には、容器の壁に圧力を加えることによって、容器内に圧力が形成され、製品が排出される。
【０００７】
特許文献１には、「エアレス」型の分配エンドピースが記載されている。これにより、所定量の製品が容器から出る際にも、または、使用者が排出された製品を回収する際にも、容器の中に残っている製品の汚染を防ぐことができる。
【０００８】
従って、容器の外部から来る可能性のある汚染から製品を保護するための多数の解決策が存在する。
【０００９】
このような製品の容器内での保存は、例えば酸化防止剤、抗モールド剤、殺菌剤、殺ウイルス剤、または抗真菌剤のような保存剤化合物の使用によって達成される。
【００１０】
このような化合物は、特にそれらが使用される製品が皮膚に適用されることを意図された化粧品である際に、有害な効果を有し得る。
【００１１】
それで、このような化合物を有さない製品を販売することが提案された。貯蔵寿命を確実にするために、製造現場の衛生状態および滅菌状態を強化することが提案されており、これは実施するのに特に複雑でコストが高いことが判明している。
【先行技術文献】
【特許文献】
【００１２】
【特許文献１】仏国出願公開第３．０１１．８２６号
【発明の概要】
【発明が解決しようとする課題】
【００１３】
本発明の課題は、容器の内部に含まれる製品中の潜在的な汚染要素の拡散を制限するように設計された容器を提案することである。
【課題を解決するための手段】
【００１４】
本発明は、製品が保持される体積を画定する本体と、製品を容器から出すための分配エンドピースと、本体の内部体積内に配置される少なくとも１つのインサートであって、流体製品と接触し、かつ、少なくとも１つの殺菌剤を備える、インサートと、を有する流体製品を貯蔵および分配するための容器であって、少なくとも１つのインサートが完全に殺菌材料で作られていることを特徴とする、容器を提案する。
【００１５】
容器の内部体積に殺菌剤からなるインサートが存在することにより、殺菌剤と接触させて容器中にまだ存在する製品を配置することが可能になる。
【００１６】
製品を引き出すための容器の様々な操作は、インサートとの接触をもたらす製品の割合を増加させるために、製品の混合を達成することを可能にする
【００１７】
好ましくは、少なくとも１つのインサートは殺菌材料によって完全に覆われた別の材料で作られる。
【００１８】
好ましくは、少なくとも１つのインサートは、本体の内部体積内を自由に動く少なくとも１つのビードからなる。
【００１９】
好ましくは、少なくとも１つのインサートは、流体が通過することができる多孔質または穿孔された要素からなる。
【００２０】
好ましくは、少なくとも１つのインサートはグリッドからなる。
【００２１】
好ましくは、少なくとも１つのインサートは、分配エンドピースと本体の内部容積との間に配置される。
【００２２】
好ましくは、インサートは、本体の中央の主平面内に延在するシートを形成する。
【００２３】
好ましくは、少なくとも１つのインサートは、少なくとも部分的に本体の内壁を覆う。
【００２４】
好ましくは、少なくとも１つのインサートは、銅および銀から選択された材料で作られる。
【００２５】
本発明の他の特徴および利点は、添付の図面にどの参照がなされるべきかを理解するための以下の図の説明の後の詳細な説明を読むことによって明らかになるであろう。
【図面の簡単な説明】
【００２６】
【図１】本発明による２つのインサートを有する流体製品のための容器の側面図の概略図である。
【図２】図１に示された容器の、中央の垂直主平面に沿った断面図である。
【図３】本発明の別の実施形態によるインサートを有する別の容器の概略図である。
【発明を実施するための形態】
【００２７】
図１および２には、流体または液体製品を収容するための容器１０が示されている。この製品は、例えば、化粧用クリームまたはゲルであり得る。
【００２８】
容器１０は、ここでは長くなった形状の中空本体１２を有し、下端部１２ａを平坦にして閉鎖された円筒形の管から得られる。図１および図２に示される実施形態によれば、本体１２は、プラスチック材料のような可撓性材料で作られる。これはまた、延性のある容易に変形可能な材料で作られ得る。
【００２９】
容器１０はまた、製品を分配するためのエンドピース１４を有し、このエンドピースを介して、製品が使用者によって引き出されることを意図される。
【００３０】
図１および図２に示される実施形態によれば、エンドピース１４は、本体１２の上端部１２ｂを封止する。
【００３１】
さらに、ここでは、製品を分配するためのエンドピース１４は、製品を外に出すことをだけを可能にするエンドピースであり、言い換えると、容器１０の内部容積の内部に何も侵入しないようになっており、容器から出て来得た所定量の製品か、または空気である。
【００３２】
このエンドピース１４は、いわゆる「エアレス」タイプのエンドピースである。ここでは、特許文献１に記載されているようなエンドピースから構成され、その構造または操作の詳細については、特許文献１を参照することができる。
【００３３】
このエンドピース１４のおかげで、容器１０の内部容積は外部から、より詳細には、そこに存在する細菌による製品の酸化または汚染を引き起こす恐れのある任意の汚染要素から隔離される。
【００３４】
製品の汚染は、製品の最初の使用の前に生じ得、例えば、現場で実施され得る多数の予防措置にもかかわらず、製品の製造工程中、または、容器１０に製品が導入されている間起こり得る。
【００３５】
製品中のこの汚染の拡散を避けるために、容器１０は、内部容積内に配置された少なくとも１つのインサート１６を有し、インサートは容器１０内に収容される製品と恒久的に接触する。
【００３６】
インサート１６は、殺菌性材料で作られている。限定することのない例として、殺菌剤は好ましくは銅であり、インサートは銀でもあり得る。
【００３７】
銅の場合、製品と接触すると、インサート１６は殺菌効果を有するＣｕ＋＋イオンを放出する。
【００３８】
第１の実施形態によれば、インサートは、殺菌材料でめっきまたは蒸着によって覆われるプラスチック材料または他の金属のような別の材料で作られる。これにより、特に、インサート１６の製造コストを低減することが可能になる。
【００３９】
別の実施形態によれば、インサート１６は、完全にこの殺菌材料で作られる
【００４０】
図１および図２に示す実施形態によれば、インサート１６は、容器の中央の主平面に沿って延在する略平坦なグリッド形状である。
【００４１】
ここで、この中心面は、本体１２の平坦な下端部１２ａを通過する、図の配向における垂直面である。従って、特定の実施形態によれば、インサート１６の下端部は、本体１２の下端部１２ａのレベルに配置され、かつ、この本体１２の下端部１２ａが閉じられる際に本体１２の下端部１２ａを潰して恒久的に変形させることによって本体１２内に保持される。
【００４２】
インサート１６のグリッド形状は、インサート１６の容器内に収容された製品との接触面を増加させることを可能にし、より大量の製品を処理することを可能にする。
【００４３】
図示されていない代替的な実施形態によれば、容器は、殺菌材料で作られるまたは殺菌材料で覆われたビーズの形状の１つ以上のインサートを有する。これらのビーズは、容器の中に収容された製品全体と接触することができるように、容器内で自由に動くことができる。これらのビーズは、容器内で動く間にビーズによって混合されて製品の均質化を可能にするという利点をさらに有する。
【００４４】
さらに、本体１２の壁は可撓性であるので、これは、各操作時に容器１０内の製品を混合することを可能にし、さらに、インサートが１つのグリッドの形状、または１つ以上のグリッドの形状の際にインサート１６と接触する製品の量を増加させる。
【００４５】
別の実施形態によれば、容器は、製品を分配するためのエンドピース１４の高さに位置する第２のインサート１８を有する。
【００４６】
この第２のインサート１８は、ここでも、ホッパー形状に成形された殺菌材料に基づくグリッドの形状で製造され、エンドピース１４の開口部を本体１２の内部容積から分離する。
【００４７】
ここで、第２のインサート１８は、エンドピース１４の垂直主軸と略同軸の円筒形グリッド２０と、円筒形グリッドの下端部にある底部グリッド２２と、を有する。
【００４８】
この第２のインサート１８のおかげで、分配エンドピース１４に向かって流れる製品は、第２のインサート１８を構成するグリッドを通過することを強制される。この量の製品は、次いで、殺菌材料と接触し、殺菌材料が次いで製品への働きを及ぼす
【００４９】
これにより、事前に滅菌済みの製品を分配することを可能にする。
【００５０】
第２のインサート１８の形状および寸法は、各使用時に引き出される平均量の製品を処理することを可能にするように規定される。
【００５１】
図３には、剛性壁を有する別の容器３０が示されている。例えば、容器はガラス製である。
【００５２】
この容器３０は、ここでは、製品が貯蔵される本体３２と、開いた分配エンドピース３４とを有する。このエンドピース３４は、エンドピース３４の開口部を閉じるためのキャップ（図示せず）を受容することができる。
【００５３】
この実施形態によれば、製品は、例えば、指または適切な工具を用いて、エンドピース３４の開口部から直接引き出される。
【００５４】
この容器は、本体３２内に設けられたインサート３６を有している。このインサートは、例えば銅で作られているような前述の殺菌材料で作られている。
【００５５】
製品の引き出しを妨げないために、インサート３６は本体３２の壁に押圧される。
【００５６】
代替的な実施形態によれば、インサートは、殺菌材料に基づくシートから成っているか、または、殺菌材料の層から構成されており、この場合、インサート３６は、これらの壁上に付けられる。
【００５７】
各インサート１６、１８、３６を構成するグリッドの寸法特性、すなわちそのピッチおよび各バーの厚さは、製品の機能として、特にその粘性の機能として規定される。
【００５８】
このようなインサート１６、１８、３６は、いつでも、かつ、容器の使用条件が何であれ、容器１０内に存在する製品を滅菌することを可能にする。
【００５９】
その結果、生産現場の衛生上の制約が緩和されるため、あらゆる衛生管理や使用者の安全の確保、およびそのような容器内の製品の商品化コストの削減が可能になる。
【００６０】
容器１０、３０は、化粧品を収容するものとして説明されている。このような容器は、特に、化粧品用、医薬品用、または食品用のいずれのタイプの流体製品にも使用され得ることができることが理解されよう。
【００６１】
また、インサート１６を構成する材料は、銅または銀であってもよいことは上述されている。これらの２つの材料は、本発明の限定することのない例であり、各インサート１６は、これらの２つの材料の一方および／または他方の合金で、または、殺菌特性を有し、かつ、容器内に収容される流体製品と化学的に適合する任意の他の材料で製造され得る。
【符号の説明】
【００６２】
１０  容器
１２  本体
１２ａ  下端部
１２ｂ  上端部
１４  分配エンドピース
１６  インサート
１８  第２のインサート
２０  円筒形グリッド
２２  底部グリッド
３０  容器
３２  本体
３４  分配エンドピース
３６  インサート
【図１】
0006768719.tif 000002
【図２】
0006768719.tif 000003
【図３】
0006768719.tif 000004